(57)【要約】【課題】  縦長画面であっても横長画面であっても違和感のない操作性を確保することのできる薄型表示装置用スタンドを提供すること。【解決手段】  高さ位置調整機構および、縦長画面と横長画面の切り替え機構とを備えた薄型表示装置用スタンドであって、前記切り替え機構が縦長画面時と横長画面時で前記高さ位置調整機構の移動範囲が異なるので、縦長画面とした際にも表示装置の下端がテーブル等に当接することなく、縦長画面であっても横長画面であっても違和感のない操作性を確保することができる。【選択図】  図１
2006195217.tif 000002
【特許請求の範囲】
【請求項１】
高さ位置調整機構および、縦長画面と横長画面の切り替え機構とを備えた薄型表示装置用スタンドであって、
前記切り替え機構が縦長画面時と横長画面時で前記高さ位置調整機構の移動範囲が異なることを特徴とする薄型表示装置用スタンド。
【請求項２】
前記高さ位置調整機構の移動範囲の変更は、表示装置の回転運動に伴って出没するストッパによって行うことを特徴とする請求項１に記載の薄型表示装置用スタンド。
【請求項３】
前記ストッパは、歯車機構によって出没することを特徴とする請求項１または２に記載の薄型表示装置用スタンド。
【請求項４】
前記ストッパは、フレキシブルジョイントによって出没することを特徴とする請求項１または２に記載の薄型表示装置用スタンド。
【請求項５】
前記ストッパは、表示装置の回動軸と同軸に沿って回動することを特徴とする請求項１または２に記載の薄型表示装置用スタンド。
【請求項６】
前記高さ位置調整機構の移動範囲の変更は、表示装置の回転運動に伴って変位するストッパによって行うことを特徴とする請求項１に記載の薄型表示装置用スタンド。
【発明の詳細な説明】
【技術分野】
【０００１】
本発明は、液晶モニタ等の薄型表示装置に関し、特に表示画面の昇降機構および縦長画面と横長画面の回転切り替え機構を有する薄型表示装置用スタンドに関するものである。
【背景技術】
【０００２】
今日、パソコンやテレビのモニタとして、液晶ディスプレイやプラズマディスプレイに代表される薄型表示装置が広く普及している。これらの薄型表示装置は、スタンドで支持されるとともに使用者の目の高さに合わせて上下位置を変更するための高さ位置調整機構が備えられている。また、縦長画面と横長画面を回転によって切り替える切り替え機構を備えている。
【特許文献１】特開２００３−１８５０８８号公報
【発明の開示】
【発明が解決しようとする課題】
【０００３】
しかし、これら従来の薄型表示装置用スタンドでは、高さ位置調整機構と切り替え機構とが何ら関連を有しておらず、それぞれ独立して作動していた。例えば、図１０に実線で示すように薄型表示装置１が縦長画面の状態でスタンド２に支持されている場合、横長画面の状態で一番下（Ｘ）まで画面を下降させてもてテーブルや基台につかえることはないが、縦長画面の状態でＸだけ下降させるとテーブルや基台につかえてしまうと云う問題があった。これでは、縦長画面でも横長画面でも違和感なく操作すると云うことができなかった。
【０００４】
この発明は、上記に鑑み提案されたもので、高さ位置調整機構と切り替え機構を連動させ、縦長画面でも横長画面でも違和感なく操作できる薄型表示装置用スタンドを提供することを目的とするものである。
【課題を解決するための手段】
【０００５】
上記目的を達成する為に、本発明の薄型表示装置用スタンドは、高さ位置調整機構および、縦長画面と横長画面の切り替え機構とを備えた薄型表示装置用スタンドであって、前記切り替え機構が縦長画面時と横長画面時で前記高さ位置調整機構の移動範囲が異なることを特徴とする。
【０００６】
また、本発明において、前記高さ位置調整機構の移動範囲の変更は、表示装置の回転運動に伴って出没するストッパによって行うことを特徴とする。
また、本発明において、前記ストッパは、歯車機構によって出没することを特徴とする。
また、本発明において、前記ストッパは、フレキシブルジョイントによって出没することを特徴とする。
また、本発明において、前記ストッパは、表示装置の回動軸と同軸に沿って回動することを特徴とする。
また、本発明において、前記高さ位置調整機構の移動範囲の変更は、表示装置の回転運動に伴って変位するストッパによって行うことを特徴とする。
【発明の効果】
【０００７】
この発明は上記した構成からなるので、以下に説明するような効果を奏することができる。 
【０００８】
本発明によれば、高さ位置調整機構および、縦長画面と横長画面の切り替え機構とを備えた薄型表示装置用スタンドであって、前記切り替え機構が縦長画面時と横長画面時で前記高さ位置調整機構の移動範囲が異なるので、縦長画面とした際にも表示装置の下端がテーブル等に当接することなく、縦長画面であっても横長画面であっても違和感のない操作性を確保することができる。また、エルゴノミックス面でも有効に機能する薄型表示装置用スタンドを提供することができる。
【０００９】
また本発明では、前記高さ位置調整機構の移動範囲の変更は、表示装置の回転運動に伴って出没するストッパによって行うので、表示装置を縦長画面にする動作に連動してストッパが突出し、下降限界が制限され表示画面の下端が基台につかえることがない。したがって、縦長画面であっても横長画面であっても違和感のない操作が可能となる。
【００１０】
また、本発明では、前記ストッパは歯車機構によって出没するので、縦長画面と横長画面を切り替えることにより高さ調整幅が自動的に変更される。
また、本発明では、前記ストッパは、フレキシブルジョイントによって出没するので、縦長画面と横長画面を切り替えることにより高さ調整幅が自動的に変更されるとともに、調整幅の変更機構を簡便化することができる。また、ストッパは、表示装置の回動軸と同軸に沿って回動するので、高さ調整幅の変更機構を簡易化することができる。また、高さ位置調整機構の移動範囲の変更は、表示装置の回転運動に伴って変位するストッパによって行うので、ストッパの移動範囲を小さくして高さ調整幅の変更機構をコンパクトにすることができる。
【発明を実施するための最良の形態】
【００１１】
高さ位置調整機構の移動範囲を横長画面時より縦長画面時の方を狭くしたので、縦長画面とした際にも表示装置の下端がテーブル等に当接することなく、縦長画面であっても横長画面であっても違和感のない操作性を確保するという目的が達成できる。
【実施例】
【００１２】
以下、一実施の形態を示す図面に基づいて本発明を詳細に説明する。図１は、本発明に係る薄型表示装置用スタンドの横長画面時を示す斜視図である。ここで、薄型表示装置用スタンドは、高さ位置調整機構１０および、縦長画面と横長画面の切り替え機構１１とを備えている。高さ位置調整機構１０は、スタンドベース１２から立ち上がった支持筒１３とこの内部に摺動可能に装着された摺動部材１４とから構成されている。摺動部材１４は、所定の範囲で上昇、下降することができる。また、摺動部材１４の上端には、表示画面の縦長画面と横長画面を切り替えることのできる切り替え機構１１が取り付けられている。
【００１３】
切り替え機構１１は、表示画面１５の裏面にビス等で取り付けられた取付板１６に立設された取付軸１７を回動自在に支承する支承板１８と、取付軸１７の先端に固定された傘歯車１９と、この傘歯車１９と直交配置された傘歯車２０と、傘歯車２０を回動可能に支持するストッパ部材２１等から構成されている。取付板１６と支承板１８は常に当接しており、この当接面と平行な面内で表示画面１５が取付軸１７の周りに９０度回転し、縦長画面と横長画面が切り替わる。また、取付板１６には、取付軸１７と同心円状の長穴２２が円弧に９０度形成されている。更に、支承板１８からは、この長穴２２に遊嵌するピン（図示せず）が突出している。したがって、表示画面１５は、所定方向にのみ９０度回転することができる。また、ストッパ部材２１のストッパ片２１ａは、ほぼ直角に折れ曲がっており、図１、２に示すように表示画面１５が横長画面である時には、支持筒１３の壁面１３ａと略平行である。表示画面１５が９０度回転して縦長画面となると、この回転が傘歯車１９、２０を介してストッパ部材２１に伝達され、ストッパ片２１ａは、図３、４に示すように９０度回転して支持筒１３の壁面から離れた位置となる。
【００１４】
次に、以上のように構成された薄型表示装置用スタンドの動作について説明する。先ず、図１に示すように表示画面１５が横長画面である場合、ストッパ部材２１のストッパ片２１ａは、支持筒１３の壁面１３ａと略平行であるので、図２に示すように高さ位置調整機構１０の下限まで下降することができる。下限まで下降させても、表示画面１５の短辺寸法の下端がスタンドベース１２や机面に当接することがない。
【００１５】
また、図３に示すように表示画面１５を９０度回転して縦長画面とした場合は、傘歯車１９、２０によってストッパ部材２１も９０度回転するので、ストッパ片２１ａが突出する。この状態で高さ位置調整機構１０を下降させると、図４に示すようにストッパ片２１ａが支持筒１３の上縁に当接して下降範囲が制限される。したがって、表示画面１５の長辺寸法の下端がスタンドベース１２や机に当接することがない。このように、本発明では表示画面１５が縦長画面か横長画面かによって、自動的に高さ位置調整機構１０の昇降範囲が決定される。このため、縦長画面であっても横長画面であっても違和感のない操作性を確保できる。
なお、本実施の形態において、回転方向を変換する手段として傘歯車１９、２０の替わりにワイヤーやベルトを使用することもできる。
【００１６】
図５は、本発明の第２の実施の形態を示す斜視図である。本実施の形態において、切り替え機構５０は、表示画面１５の裏面に取り付けられた取付板１６に立設された取付軸１７を回動自在に支承する支承板１８と、取付軸１７の先端に固定されたストッパアーム５１と、このストッパアーム５１の先端に形成されたストッパ突起５１ａ等から構成されている。第１の実施の形態と同様に取付板１６と支承板１８は常に当接しており、この当接面と平行な面内で表示画面１５が取付軸１７の周りに９０度回転し、縦長画面と横長画面が切り替わる。また、取付板１６には、取付軸１７と同心円状の長穴２２が円弧に９０度形成されている。更に、支承板１８からは、この長穴２２に遊嵌するピン（図示せず）が突出している。ストッパアーム５１は、図５に示す横長画面時には、略水平に伸びており、先端のストッパ突起５１ａが支持筒１３の上縁に当接することはない。しかし、表示画面１５が９０度回転して縦長画面となった場合、ストッパアーム５１も９０度回転して、ストッパ突起５１ａが真下に位置するようになる。
【００１７】
次に、以上のように構成された薄型表示装置用スタンドは、図５に示す横長画面の場合、ストッパアーム５１が水平に位置しているので、高さ位置調整機構１０の下限まで下降させることができる。たとえ、下限まで下降させても、表示画面１５の短辺寸法の下端がスタンドベース１２や基台に当接することがない。また、図６に示すように表示画面１５を９０度回転して縦長画面とした場合は、ストッパアーム５１も９０度回転するので、ストッパ突起５１ａが支持筒１３の真上に位置する。この状態で高さ位置調整機構１０を下降させると、ストッパ突起５１ａが支持筒１３の上縁に当接して下降範囲が制限される。したがって、表示画面１５の長辺寸法の下端がスタンドベース１２や基台に当接することがない。このように、本実施の形態においても表示画面１５が縦長画面か横長画面かによって、自動的に高さ位置調整機構１０の昇降範囲が決定される。
【００１８】
図７は、本発明の第３の実施の形態を示す斜視図である。本実施の形態において、切り替え機構７０は、表示画面１５の裏面にビス等で取り付けられた取付板１６に立設された取付軸１７を回動自在に支承する支承板１８と、取付軸１７の先端に固定されたピニオン歯車７１と、このピニオンギア７１と噛合したラックギア７２等から構成されている。ピニオンギア７１は、表示画面１５とともに回転し、ラックギア７２は、高さ位置調整機構１０の摺動部材１４に摺動自在に支承されている。したがって、表示画面１５の回転に伴い、摺動部材１４に沿ってラックギア７２は上昇或いは下降する。第１の実施の形態と同様に取付板１６と支承板１８は常に当接しており、この当接面と平行な面内で表示画面１５が取付軸１７の周りに９０度回転し、縦長画面と横長画面が切り替わる。また、取付板１６には、取付軸１７と同心円状の長穴２２が円弧に９０度形成されている。更に、支承板１８からは、この長穴２２に遊嵌するピン（図示せず）が突出している。
【００１９】
次に、以上のように構成された薄型表示装置用スタンドは、図７に示す横長画面の場合、ラックギア７２の下端７２ａが上に位置しているので、高さ位置調整機構１０のほぼ下限近くまで下降することができる。この時、表示画面１５の短辺寸法の下端がスタンドベース１２や基台に当接することがない。また、図８に示すように表示画面１５を９０度回転して縦長画面とした場合は、ピニオンギア７１も９０度回転するので、ラックギア７２の下端７２ａが下降する。この状態で高さ位置調整機構１０を下降させると、ラックギア７２の下端７２ａが支持筒１３の上縁に当接して下降範囲が制限される。したがって、表示画面１５の長辺寸法の下端がスタンドベース１２や基台に当接することがない。
【００２０】
図９は、本発明の第４の実施の形態を示す斜視図である。本実施の形態において、切り替え機構９０は、表示画面１５の裏面に取り付けられた取付板１６に立設された取付軸１７を回動自在に支承する支承板１８と、取付軸１７に連結されたフレキシブルジョイント９１と、このフレキシブルジョイント９１の先端に形成されたストッパ突起９１ａ等から構成されている。また、前記実施の形態と同様に、取付板１６と支承板１８は常に当接しており、この当接面と平行な面内で表示画面１５が取付軸１７の周りに９０度回転し、縦長画面と横長画面が切り替わる。フレキシブルジョイント９１は下方に伸びて、先端のストッパ突起９１ａが摺動部材１４の中央の凹溝１４ａに位置しており、表示画面１５が横長画面である場合には、横に寝ており、縦長画面である場合には、起立している。フレキシブルジョイント９１の例としては、フレキシブルシャフト、ユニバーサルジョイント、コイルバネ等を最適に使用することができる。
【００２１】
以上のように構成した場合は、表示画面１５が横長画面である場合、ストッパ突起９１ａが摺動部材１４の中央の凹溝１４ａに寝ているので、高さ位置調整機構１０の下限まで下降することができる。また、図９に示すように表示画面１５を９０度回転して縦長画面とした場合は、フレキシブルジョイント９１を介してストッパ突起９１ａも９０度回転して突出する。この状態で高さ位置調整機構１０を下降させると、ストッパ突起９１ａが支持筒１３の上縁に当接して下降範囲が制限される。したがって、表示画面１５の長辺寸法の下端がスタンドベース１２や机に当接することがない。
尚、本実施の形態において、フレキシブルジョイント９１の内部を中空とすれば、内部にケーブルを通すこともできる。また、表示画面１５のチルトにも対応することができる。
【図面の簡単な説明】
【００２２】
【図１】図１は、本発明に係る薄型表示装置用スタンドの横長画面時を示す斜視図である。
【図２】図２は、同薄型表示装置用スタンドを最下点まで下げた状態を示す斜視図である。
【図３】図３は、同薄型表示装置用スタンドの縦長画面時を示す斜視図である。
【図４】図４は、同薄型表示装置用スタンドを最下点まで下げた状態を示す斜視図である。
【図５】図５は、本発明の第２の実施の形態を示す斜視図である。
【図６】図６は、同薄型表示装置用スタンドにおける縦長画面時を示す斜視図である。
【図７】図７は、本発明の第３の実施の形態を示す斜視図である。
【図８】図８は、同薄型表示装置用スタンドにおける縦長画面時を示す斜視図である。
【図９】図９は、本発明の第４の実施の形態を示す斜視図である。
【図１０】図１０は、薄型表示装置用スタンドにおける縦長画面時と横長画面時の最下点の相違を示す説明図である。
【符号の説明】
【００２３】
１０      高さ位置調整機構     １１、５０、７０、９０    切り替え機構
１２      スタンドベース       １３      支持筒
１４      摺動部材            １５      表示画面
１６      取付板              １７      取付軸
１８      支承板              １９、２０  傘歯車
２１      ストッパ部材        ２２      長穴
５１      ストッパアーム       ５１ａ    ストッパ突起
７１      ピニオンギア        ７２      ラックギア
９１      フレキシブルジョイント
９１ａ    ストッパ突起
【図１】
2006195217.tif 000003
【図２】
2006195217.tif 000004
【図３】
2006195217.tif 000005
【図４】
2006195217.tif 000006
【図５】
2006195217.tif 000007
【図６】
2006195217.tif 000008
【図７】
2006195217.tif 000009
【図８】
2006195217.tif 000010
【図９】
2006195217.tif 000011
【図１０】
2006195217.tif 000012